(57)【要約】【課題】横送り装置の構成が比較的簡易であって低コストであとともに確実にパレットを移動させることができ、また、メンテナンス時の作業を容易に行うことのできる機械式駐車装置の横送り装置を提供すること。【解決手段】パレットの移動方向に沿って配置した横送り駆動スプロケット及び従動スプロケットに横送りチェーンを無端状に巻き回す。横送りチェーンにはアタッチメントを備え、パレットの掛合プレートに掛合してパレットを移送する。横送り駆動スプロケットと従動スプロケットとの中心間距離を一台のパレットに備えた掛合プレート間の距離と同一とし、隣り合ったパレットどうしの掛合プレート間の距離を従動スプロケットのピッチ円の半周の長さと同一とした。【選択図】図４
2010037885.tif 000002
【特許請求の範囲】
【請求項１】
複数の車両搭載用パレットを相互に連結し、該パレットを車両の幅方向に移動させる横送り装置において、前記パレットの移動方向に沿って配置した横送り駆動スプロケット及び従動スプロケットと、該横送り駆動スプロケット及び従動スプロケットに無端状に巻き回された横送りチェーンとを備え、該横送りチェーンにはアタッチメントを備えるとともに前記パレットには移動方向の前側と後ろ側とに前記アタッチメントと掛合する掛合プレートを備え、前記一台のパレットに備えた前側及び後ろ側の掛合プレート間の距離は、前記横送り駆動スプロケットと前記従動スプロケットとの間の中心間距離と同一であり、隣り合う前記パレットにそれぞれ備えられて互いに隣接する前記掛合プレート間の距離は、前記横送り駆動スプロケット及び前記従動スプロケットのピッチ円の半周の長さと同一であり、前記横送りチェーンには、前記横送り駆動スプロケットと前記従動スプロケットとの間の中心間距離と、前記横送り駆動スプロケット及び前記従動スプロケットのピッチ円の半周の長さと、を交互に有して前記アタッチメントに備えたことを特徴とする機械式駐車装置のパレット横送り装置。
【請求項２】
前記横送りチェーンをパレットの長手方向の前部と後部とに備え、各横送りチェーンを連動して駆動するようにしたことを特徴とする請求項１記載の機械式駐車装置のパレット横送り装置。
【請求項３】
前記横送りチェーンは２列のチェーンで構成されており、それぞれのチェーン間に前記アタッチメントを掛け渡して備えたことを特徴とする請求項１又は請求項２記載の機械式駐車装置のパレット横送り装置。
【発明の詳細な説明】
【技術分野】
【０００１】
本発明は、車両をパレットに搭載して格納する機械式駐車装置において、パレットを移動させる装置に関し、特に、車両の幅方向に連結して配置されたパレットを横方向に移動させる横送り装置に関するものである。
【背景技術】
【０００２】
機械式駐車装置は、車両を駐車する平面スペースの確保が困難な市街地等において、地上や地下の空間を有効利用して効率良く車両を収容する設備として広く用いられている。この機械式駐車装置は、設置する土地の状況に応じて、車両を垂直方向に配置して格納するようにしたものや、車両の走行路を省いて水平面内で多数の車両を循環移動させて格納するようにしたものなど、各種の方式が採用されている。
【０００３】
これらの機械式駐車装置の一方式として、複数の車両搭載用パレットを備え、これらパレットないし車両を垂直方向及び水平方向に循環移動させて車両を格納するようにした水平循環式駐車装置や多層循環式駐車装置がある。
【０００４】
水平循環式駐車装置は、複数のパレットを矩形に配置して循環路を構成し、ずれか一箇所のパレット位置を車両の搬入及び搬出位置とするとともに、循環経路内にパレットが存在しない空スペースを設け、この空スペースへ順次パレットを縦送り及び横送りして送り込むことにより、パレットを水平面内で循環移動させるようにしたものである。また、多層循環式駐車装置は、複数のパレットを車両の進行方向に対して横方向に連結し、これを上下に二階層設けて各階層でパレットを横送りするとともに、各階層の両端部において上下の階層間でパレットを昇降させ、上下の階層間でパレットを箱形又は円形に循環移動させるようにしたものである。
【０００５】
このようにパレットに車両を搭載し、このパレットを移動させることにより車両を収容する方式の駐車装置には、パレットを縦方向及び横方向に移動させるためにパレットの移送装置を備えている。この移送装置のうちパレットを車両の進行方向に対して横方向に移動させる横送り装置として一般的に多用されてものとしては、両端に係合ローラーを有する旋回アームをパレットの移動経路中に備え、パレット下面に形成したガイド溝部材に前記係合ローラーを係合させるとともに、前記旋回アームを旋回させることによりパレットを移動させる横送り装置がある（例えば、特許文献１参照）。
【０００６】
また、他の横送り装置として、パレットの横送り方向に平行して無端チェーンを配設し、このチェーンに備えたアタッチメントがパレットに係合してパレットを移動させる横送り装置もある（例えば、特許文献２参照）。
【特許文献１】特開２００７−１８６９５６号公報
【特許文献１】特開２００１−７３５８０号公報
【発明の開示】
【発明が解決しようとする課題】
【０００７】
上記特許文献１に記載された旋回アームを用いる方式の横送り装置は、減速機や接続軸等、多数の部品や機構で構成されているためコスト高となっていた。また、これらの構成部品や機構はパレットの真下に配置されるため、メンテナンスが容易でなかった。
【０００８】
本発明は、このような事情に鑑みてなされたものであり、横送り装置の構成が比較的簡易であって低コストであとともに確実にパレットを移動させることができ、また、メンテナンス時の作業を容易に行うことのできる機械式駐車装置の横送り装置を提供することを目的とする。
【課題を解決するための手段】
【０００９】
請求項１の発明は、複数の車両搭載用パレットを相互に連結し、該パレットを車両の幅方向に移動させる横送り装置において、前記パレットの移動方向に沿って配置した横送り駆動スプロケット及び従動スプロケットと、該横送り駆動スプロケット及び従動スプロケットに無端状に巻き回された横送りチェーンとを備え、該横送りチェーンにはアタッチメントを備えるとともに前記パレットには移動方向の前側と後ろ側とに前記アタッチメントと掛合する掛合プレートを備え、前記一台のパレットに備えた前側及び後ろ側の掛合プレート間の距離は、前記横送り駆動スプロケットと前記従動スプロケットとの間の中心間距離と同一であり、隣り合う前記パレットにそれぞれ備えられて互いに隣接する前記掛合プレート間の距離は、前記横送り駆動スプロケット及び前記従動スプロケットのピッチ円の半周の長さと同一であり、前記横送りチェーンには、前記横送り駆動スプロケットと前記従動スプロケットとの間の中心間距離と、前記横送り駆動スプロケット及び前記従動スプロケットのピッチ円の半周の長さと、を交互に有して前記アタッチメントに備えたことを特徴としている。
【００１０】
したがって、前記駆動スプロケットと前記従動スプロケットの間では、常時一台又は二台のパレットの掛合プレートがアタッチメントと掛合し、確実に移送される。
【００１１】
請求項２の発明は、前記横送りチェーンをパレットの長手方向の前部と後部とに備え、各横送りチェーンを連動して駆動するようにしたことを特徴としている。
【００１２】
請求項３の発明は、前記横送りチェーンは２列のチェーンで構成されており、それぞれのチェーン間に前記アタッチメントを掛け渡して備えたことを特徴としている。
【発明の効果】
【００１３】
本発明によれば、基本構成は同一ピッチ円を有する二枚のスプロケット間に横送りチェーンを巻き回したものであり、簡易な構成であるにもかかわらず連続して確実にパレットを横送りすることができる。また、メンテナンスに必要な部分は、パレットの外側に配置することができ、メンテナンス性にすぐれている。
【００１４】
また、請求項２に記載の発明によれば、請求項１に記載の発明の効果に加えて、パレットの前後を同時に移動させるので、パレットの移動が安定する。
【００１５】
また、請求項３に記載の発明によれば、請求項１及び請求項２に記載の発明の効果に加えて、横送りチェーンに備えたアタッチメントが両持ちで支持されるので、強度が増すとともにアタッチメントの姿勢が固定され、アタッチメントと掛合プレートとの掛合が安定する。
【発明を実施するための最良の形態】
【００１６】
以下、本発明の実施の形態を図面に基づいて説明する。図１は、横送り装置を備えた機械式駐車装置の代表例として、水平循環式駐車装置を示した平面図である。
【００１７】
水平循環式駐車装置は、互いに平行する横移送路１０、１０と、この横移送路１０、１０に直交する縦移送路１１、１１を有し、これらが交互に接続されて矩形状のパレット循環路を形成している。このパレット循環路には、一対の対角位置に設けられた空スペース１２、１２を除いて、複数のパレット１３、１３、…が配置されており、空スペース１２、１２に向けて順次パレット１３を横送り（矢印X方向）及び縦送り（矢印Y方向）して循環移動させ車両を収容する。
【００１８】
図２は、横方向（矢印X方向）に隣り合うパレット１３、１３の連結構造を示した正面図である。各パレット１３、１３の下面には、ローラー１５が枢着されており、このローラー１５の転動により各パレット１３は、床面に敷設された走行レール１６上を横方向に移動可能となっている。各パレット１３の両横側方には、逆U字形状の連結器１４ａとＬ字形状の連結器１４ｂを突出して備え、パレット１３が横移送路１０、１０上に位置するときは、隣り合うパレット１３、１３の連結器１４ａと１４ｂが掛合して互いに連結され、縦移送路１１を移送されるときには、移動元では連結器１４ａと１４ｂが互いにスライドして連結が解除されるとともに、移動先では隣接するパレット１３と連結器１４ａと１４ｂが掛合して連結される。
【００１９】
このような構成により、横移送路１０、１０におけるパレット１３は、いずれか一のパレット１３が横送り駆動されると、これとともに同一の横移送路１０上に位置するパレット１３、１３全体が連動して移動するようになっている。そして、各横移送路１０、１０には、それぞれの任意の位置に、一台分のパレット１３を横移動させる横送り装置２０、２０を備えている。
【００２０】
図３及び図４は、横送り装置２０を示す側面図及び正面図である。図において走行レール１６の下方には、パレット１３の長手方向を軸芯として駆動シャフト２１が回転可能に備えられている。この駆動シャフト２１は、パレット１３の長手方向の長さよりやや長く、両端部付近には駆動スプロケット２２、２２が固着されるとともに、一端部にはギヤードモーター等の原動機３１が連結されて回転駆動される。
【００２１】
両駆動スプロケット２２、２２の正面視斜め上方には、軸２９を回転軸として同心状に固着した中間スプロケット２３及び一対の横送り駆動スプロケット２５が回転可能に設けられている。中間スプロケット２３と前記駆動スプロケット２２との間には、駆動チェーン２４が無端状に巻き回されて、前記駆動シャフト２１ないし駆動スプロケット２２の回転により、中間スプロケット２３ないし横送り駆動スプロケット２５が同軸で回転駆動される。尚、この段落で説明した上記の構成及び以下説明する構成は、パレット１３の前後両端部において同一の構成であるので、いずれか一方の構成を説明することとする。
【００２２】
前記横送り駆動スプロケット２５から水平方向に離隔した位置には、横送り駆動スプロケット２５、２５と同一のピッチ円を有する従動スプロケット３０を回転可能に備え、横送り駆動スプロケット２５と従動スプロケット３０との間には、２列のチェーンで構成された横送りチェーン２６が巻き回されている。この横送りチェーン２６の２列のチェーン間には、４箇所の位置でピン形状のアタッチメント２７を掛け渡して取り付けており、これらアタッチメント２７の取り付け位置関係は、横送り駆動スプロケット２５における垂直中心線上の上下二箇所にアタッチメント２７、２７がそれぞれ位置するときに、従動スプロケット３０における垂直中心線上の上下二箇所にアタッチメント２７、２７が位置する位置関係となっている。言い換えると、各アタッチメント２７は、横送り駆動スプロケット２５と従動スプロケット３０との間の中心間距離と、横送り駆動スプロケット２５及び従動スプロケット３０のピッチ円の半周の長さと、を交互に有する間隔で前記横送りチェーン２６に備えている。
【００２３】
一方、パレット１３側には、長手方向の両端面であって横移動方向の両端部付近に、前記横送りチェーン２６のアタッチメント２７と掛合する掛合プレート２８、２８を固着している。この掛合プレート２８は板状の部材であって、下部を垂直中心線に対して左右対称に末広がり状に切り欠いて、この切り欠き部の頂点部分に前記アタッチメント２７が掛合する。
【００２４】
ここで、前記横送り駆動スプロケット２５と従動スプロケット３０との中心間距離Ｈ１は、一台のパレット１３に備えた掛合プレート２８、２８の切り欠き頂点間、すなわち掛合プレート間距離Ｈ２と同一となっており、また、隣り合うパレット１３、１３にそれぞれ備えた掛合プレート２８、２８間距離Ｈ３と、横送り駆動スプロケット２５及び従動スプロケット３０のピッチ円半周の距離とが同一となるように、横送り駆動スプロケット２５及び従動スプロケット３０のピッチ円と掛合プレート２８の位置がそれぞれ設定されている。
【００２５】
以上の構成により、横移送路１０、１０におけるパレット１３、１３、…の横送りは以下のように行われる。まず、横送り装置２０の位置において、初期の状態を図４で示した状態とし、この状態からパレット１３ａ、１３ｂ、１３ｃを矢印Ｘ１の方向に移動させるものとする。この状態においては、横送りチェーン２６に備えたアタッチメント２７は、横送り駆動スプロケット２５及び従動スプロケット３０の軸芯直上の位置にあり、パレット１３ｂに備えた掛合プレート２８と掛合している。
【００２６】
原動機３１を駆動して、駆動スプロケット２２及び中間スプロケット２３を介して横送り駆動スプロケット２５を回転させ、横送りチェーン２６を図面上で反時計回転方向に循環移動させると、図５に示すように、従動スプロケット３０側のアタッチメント２７は、掛合プレート２８から外れ、パレット１３ｂは進行方向後方のアタッチメント２７によって矢印Ｘ１方向へと牽引される。このとき、前記したようにパレット１３ａ、１３ｂ、及び１３ｃは、それぞれ連結器１４ａ及び１４ｂにより連結されているので、パレット１３ｂの移動に連なって前後のパレット１３ａ、１３ｃも横移動する。
【００２７】
次に、図６に示すように、横送り駆動スプロケット２５が半回転すると、再びアタッチメント２７が横送り駆動スプロケット２５の軸芯直上に位置し、この位置でアタッチメント２７は、パレット１３ｃの進行方向前側に備えた掛合プレート２８と掛合する。そしてこの後、パレット１３ｂ及び１３ｃが横送りチェーン２６ないしアタッチメント２７に牽引されて横移動する。
【００２８】
次いで、図７に示すようにパレット１３ｂが移動して、パレット１３ｂの進行方向後方の掛合プレート２８が従動スプロケット３０の軸芯直上を通過すると、掛合プレート２８からアタッチメント２７が外れ、この後パレット１３ｂは、後続のパレット１３ｃに押されて移動する。そして、さらにパレット１３ａ、１３ｂ、１３ｃが移動すると、パレット１３ｃの両方の掛合プレート２８が横送り駆動スプロケット２５及び従動スプロケット３０の軸芯直上に位置して、図４に示した初期の状態となる。
【００２９】
このように一連の動作においては、アタッチメント２７がいずれかの掛合プレート２８と掛合しており、これによってパレット１３は連続して横送り可能である。そして、必要に応じて原動機３１の起動及び停止を行えば、任意の位置でパレット１３の移動及び停止が可能である。また、パレット１３を矢印Ｘ１方向と逆の方向に移動させる場合には、原動機３１の回転方向を図面上で時計回転方向に駆動すれば、上記と逆の順序でパレット１３の移動が可能である。
【００３０】
以上の例では、水平循環式駐車装置を例示して説明を行ったが、本発明は、この例に限られることなく、パレットを横方向に連結して移動する構造を含む駐車装置、例えば多層循環式駐車装置等、であれば適用可能である。
【図面の簡単な説明】
【００３１】
【図１】水平循環式駐車装置の平面図
【図２】パレットの連結構造を示す正面図
【図３】横送り装置の側面図
【図４】横送り装置の正面図
【図５】パレットの移動状態を示す正面図
【図６】パレットの移動状態を示す正面図
【図７】パレットの移動状態を示す正面図
【符号の説明】
【００３２】
１０  横移送路
１１  縦移送路
１２  空スペース
１３  パレット
１３ａ  パレット
１３ｂ  パレット
１３ｃ  パレット
１４ａ  連結器
１４ｂ  連結器
１５  ローラー
１６  走行レール
２０  横送り装置
２１  駆動シャフト
２２  駆動スプロケット
２３  中間スプロケット
２４  駆動チェーン
２５  横送り駆動スプロケット
２６  横送りチェーン
２７  アタッチメント
２８  掛合プレート
２９  軸
３０  従動スプロケット
３１  原動機
Ｈ１  スプロケット中心間距離
Ｈ２  掛合プレート間距離
Ｈ３  掛合プレート間距離
Ｘ  矢印
Ｘ１  矢印
Ｙ  矢印
【図１】
2010037885.tif 000003
【図２】
2010037885.tif 000004
【図３】
2010037885.tif 000005
【図４】
2010037885.tif 000006
【図５】
2010037885.tif 000007
【図６】
2010037885.tif 000008
【図７】
2010037885.tif 000009